(57)【特許請求の範囲】
【請求項１】
移動無線通信装置（ＭＷＣＤ）により地理的範囲を受け持つ複数のサービスプロバイダーシステムの中の新たなサービスプロバイダーシステムを選択する方法であって、
前記複数のサービスプロバイダーシステムの中の所定のサービスプロバイダーシステムの取得を試みることと、
前記所定のサービスプロバイダーシステムの取得が成功かを判定することと、
前記所定のサービスプロバイダーシステムの取得が成功でない場合、前記ＭＷＣＤがその地理的位置を所定の位置変更閾値よりも変更したかを判定することと、
前記ＭＷＣＤがその地理的位置を所定の位置変更閾値レベルよりも変更していない場合、前記複数のサービスプロバイダーシステムの中の他のサービスプロバイダーシステムを前記所定のサービスプロバイダーシステムとして選択することと、
を含む方法。
【請求項２】
前記所定のプロバイダーシステムは、優先ローミングリストから選択される請求項１に記載の方法。
【請求項３】
前記他のプロバイダーシステムは、優先ローミングリストから選択される請求項１に記載の方法。
【請求項４】
前記所定のサービスプロバイダーシステムの取得が成功でない場合、前記所定のサービスプロバイダーシステムの取得の試みの回数が所定の試み回数閾値レベルを超えるかを判定することと、
前記所定のサービスプロバイダーシステムの取得の試みの回数が前記所定の試み回数閾値レベルを超える場合、前記ＭＷＣＤがその地理的位置を変更したかを判定するステップに進むことと、
をさらに含む請求項１に記載の方法。
【請求項５】
前記所定のサービスプロバイダーシステムの取得の試みの回数が前記所定の試み回数閾値レベルを超えない場合、前記複数のサービスプロバイダーシステムの中の前記所定のサービスプロバイダーシステムの取得を試みるステップに進むことをさらに含む請求項４に記載の方法。
【請求項６】
前記ＭＷＣＤがその地理的位置を所定の位置変更閾値レベルよりも変更した場合、前記複数のサービスプロバイダーシステムの中の前記所定のサービスプロバイダーシステムの取得を試みるステップに進むことをさらに含む請求項１に記載の方法。
【請求項７】
前記ＭＷＣＤがその地理的位置を所定の位置変更閾値レベルよりも変更した場合、前記所定のサービスプロバイダーシステムの取得の試みの回数を所定値にリセットすることをさらに含む請求項６に記載の方法。
【請求項８】
前記所定のサービスプロバイダーシステムの取得が成功である場合、前記所定のサービスプロバイダーシステムに登録を行うことをさらに含む請求項１に記載の方法。
【請求項９】
前記ＭＷＣＤが地理的位置を変更したかを判定することは、全地球測位システムを経由して判定される請求項１に記載の方法。
【請求項１０】
複数のサービスプロバイダーシステムの中の所定のサービスプロバイダーシステムの取得を試み、前記所定のプロバイダーシステムの取得が成功かを判定するよう構成された無線周波数ユニットと、
前記所定のサービスプロバイダーシステムの取得が成功でない場合、前記ＭＷＣＤがその地理的位置を所定の位置変更閾値よりも変更したかを判定し、前記ＭＷＣＤがその地理的位置を所定の位置変更閾値レベルよりも変更しなかった場合、前記複数のサービスプロバイダーシステムの中の他のサービスプロバイダーシステムを前記所定のサービスプロバイダーシステムとして選択するよう構成された論理及び処理ユニットと、
を備える移動無線通信装置（ＭＷＣＤ）。
【請求項１１】
複数のサービスプロバイダーシステムの中の所定のサービスプロバイダーシステムの取得を試みる手段と、
前記所定のサービスプロバイダーシステムの取得が成功かを判定する手段と、
前記所定のサービスプロバイダーシステムの取得が成功でない場合、当該製造品がその地理的位置を所定の位置変更閾値よりも変更したかを判定する手段と、
当該製造品がその地理的位置を所定の位置変更閾値レベルよりも変更しなかった場合、前記複数のサービスプロバイダーシステムの中の他のサービスプロバイダーシステムを前記所定のサービスプロバイダーシステムとして選択する手段と、
を備える製造品。
【請求項１２】
地理的範囲を受け持つ複数のサービスプロバイダーシステムの中の新たなサービスプロバイダーシステムを選択するために構成された移動無線通信装置（ＭＷＣＤ）であって、
前記複数のサービスプロバイダーシステムの中の所定のサービスプロバイダーシステムの取得を試みる手段と、
前記所定のサービスプロバイダーシステムの取得が成功かを判定する手段と、
前記所定のサービスプロバイダーシステムの取得の判定が成功でない場合、前記前記移動無線通信装置がその地理的位置を所定の位置変更閾値よりも地理的位置より変更したか判定する手段と、
前記ＭＷＣＤがその地理的位置を所定の位置変更閾値レベルよりも変更していない場合、前記所定のサービスプロバイダーシステムとして前記複数のサービスプロバイダーシステムの中の他のサービスプロバイダーを選択する手段と
を含む移動無線通信装置。
【請求項１３】
前記所定のプロバイダーシステムは、優先ローミングリストから選択される請求項１２に記載の移動無線通信装置。
【請求項１４】
前記他のプロバイダーシステムは、優先ローミングリストから選択される請求項１２に記載の方法。
【請求項１５】
前記所定のサービスプロバイダーシステムの取得が成功でない場合、前記所定のサービスプロバイダーシステムの取得の試みの回数が所定の試み回数閾値レベルを超えるかを判定する手段と、
前記所定のサービスプロバイダーシステムの取得の試みの回数が前記所定の試み回数閾値レベルを超える場合、前記ＭＷＣＤがその地理的位置を変更したかを判定するステップに進む手段と、
をさらに含む請求項１２に記載の方法。
【請求項１６】
前記所定のサービスプロバイダーシステムの取得の試みの回数が前記所定の試み回数閾値レベルを超えない場合、前記複数のサービスプロバイダーシステムの中の前記所定のサービスプロバイダーシステムの取得を試みるステップに進む手段をさらに含む請求項１５に記載の方法。
【請求項１７】
前記ＭＷＣＤがその地理的位置を所定の位置変更閾値レベルよりも変更した場合、前記複数のサービスプロバイダーシステムの中の前記所定のサービスプロバイダーシステムの取得を試みるステップに進む手段をさらに含む請求項１２に記載の方法。
【請求項１８】
前記ＭＷＣＤがその地理的位置を所定の位置変更閾値レベルよりも変更した場合、前記所定のサービスプロバイダーシステムの取得の試みの回数を所定値にリセットする手段をさらに含む請求項１７に記載の方法。
【請求項１９】
前記所定のサービスプロバイダーシステムの取得が成功である場合、前記所定のサービスプロバイダーシステムに登録を行う手段をさらに含む請求項１２に記載の方法。
【請求項２０】
前記ＭＷＣＤが地理的位置を変更したかを判定する手段は、全地球測位システムを経由して判定される請求項１２に記載の方法。
【発明の詳細な説明】
【分野】
【０００１】
本発明は、一般に無線通信に関し、特に地理的範囲内でサービスプロバイダーシステムを選択することに関する。
【背景】
【０００２】
携帯電話のような無線通信装置が、従来の電話システムに変わって、一般的に用いられている。多数のサービスプロバイダーが、複数の地理的な範囲内で市場占有率を競っている。一般的に、ユーザーは選択したサービスプロバイダーと契約し、そのサービスプロバイダーに適合する無線電話装置を使用する。
【０００３】
一般的にユーザーは、サービスプロバイダーに対して契約上の義務を有しており、それによれば無線電話に関する全ての請求書の発行がサービスプロバイダーにより行われる。一般的に、ユーザーは契約の支払い条件と、そのサービスプロバイダーにより提供されるサービスエリアとに基づいて、サービスプロバイダーを選ぶ。ユーザーが「ホーム」の範囲内で無線電話を操作する場合、無線電話へのサービスは、一般的にユーザーが選択したサービスプロバイダーにより提供される。ユーザーがホームの範囲の外側にいる場合、無線電話は「移動」モードで動作されていると言われる。移動モードで動作する場合、無線電話はユーザーが選択したサービスプロバイダーに接続することができ、あるいはユーザーが選択したサービスプロバイダーが無線電話にサービスを提供できない場合は、他のいずれかのサービスプロバイダーに接続することができる。どちらの場合も、やはり請求書の発行はユーザーが選択したサービスプロバイダーを介して起こる。前者の状況では、請求書の発行はサービスプロバイダーから直接行うことができる。後者の状況では、実際のサービスプロバイダーからの請求書の発行は、ユーザーが選択したサービスプロバイダーに転送される。
【０００４】
一般的に無線電話は、無線電話の特定の機能を考慮して、様々なサービスプロバイダーに関するデータとともに予めプログラムされている。例えば、無線電話がアナログモードまたはデジタルモードで、さらにセルラ帯域またはパーソナル通信システム（ＰＣＳ）の帯域で動作できることがよく知られている。アナログモードとデジタルモードの両方で動作できる無線電話もあり（一時に１つのモードだけであるが）、セルラ帯域とＰＣＳ帯域の両方で動作できる無線電話もある。無線電話で有効に通信をするために、無線電話は、それが動作するよう設計されている同じモードと帯域をサポートする無線通信システムサービスプロバイダーの動作可能な境界内になければならない。
【０００５】
まずパワーアップ時に、無線電話は、システムが無線電話に適合するサービスプロバイダーを探す。「ローミング」リストまたは「優先ローミングリスト」（ＰＲＬ）と呼ばれることもあるデータテーブルまたは他の適切な構造により、全ての利用可能なサービスプロバイダーに関するデータが特定の無線電話に供給される。無線電話は、特定の地理的範囲内でサービスを取得するためにローミングリストを使う。
【０００６】
説明のために、無線電話のユーザーが、それらの特定の「ホーム」サービスプロバイダー（例えば、ユーザーが無線サービスの提供を契約した無線サービスプロバイダー）の地理的範囲から他の地理的範囲へ移動し、それゆえ移動モードで動作しているものとする。これらの環境の下、無線電話は無線サービスプロバイダーシステムを検出し取得しなければならない。どんな任意の地理的範囲においても、無線サービスプロバイダーシステムは、一般に先進移動電話サービス（ＡＭＰＳ）システムと呼ばれるアナログシステムサービスプロバイダー、または一例として符号分割多元接続（ＣＤＭＡ）システムのようなデジタルシステムを備えることができる。無線電話は、ユーザーの現在の地理的位置を進んで認識していないので、無線電話は１つ以上の選択基準に基づいてサービスプロバイダーシステムを選択する。
【０００７】
パワーオン時に、無線電話は、無線サービスプロバイダーのシステムの信号強度、無線電話の動作モード、無線電話の動作帯域のような基準、及び特定のチャネル有用性に基づいて、いずれかの適切な無線サービスプロバイダーを探す。無線電話は、特定の無線電話に対する基準に合う、最初に出くわしたサービスプロバイダーシステムを選択する。
【０００８】
無線電話は、今やＣＤＭＡデジタルモード及びＡＭＰＳアナログモードだけでなく、移動通信用の全地球的なシステム（ＧＳＭ）デジタルモードにも対応するよう装備されている。しかしながらＰＲＬは、ＧＳＭモードを無線電話に追加することを補っていない。そのため、ＧＳＭモードの追加を補う装置と方法の必要性があり、それにより３モード（ＡＭＰＳ、ＣＤＭＡ、及びＧＳＭ）無線電話が、特定の地理的範囲内でサービスを取得するよう有効に試みることができることは理解できる。本発明はこれと他の利点を提供し、それらは以下の詳細な説明と添付の図面により明らかになる。
【発明の開示】
【詳細な説明】
【０００９】
図１は、無線通信装置のような無線通信装置がどのサービスプロバイダーシステムを使うべきであるかを示す例示的な拡張優先ローミングリストの基本構造を示している。この例示的な拡張優先ローミングリストは、ＰＲＥＦ＿ＯＮＬＹ、ＤＥＦ＿ＲＯＡＭ＿ＩＮＤ、ＮＵＭ＿ＥＸＴ＿ＡＣＱ＿ＲＥＣＳ、及びＮＵＭ＿ＥＸＴ＿ＳＹＳ＿ＲＥＣＳのフィールドを備えている。
【００１０】
ＰＲＥＦ＿ＯＮＬＹ（Ｐｒｅｆｅｒｒｅｄ  Ｏｎｌｙ）フィールドは、無線通信装置が、拡張システム表（後述する）にてＰＲＥＦ＿ＮＥＧが「１」に設定されて特定されるシステム上のみで動作する場合に、「１」に設定される。このフィールドは、無線通信装置が、拡張システム表にてＰＲＥＦ＿ＮＥＧが「１」に設定されて特定されるシステム上、または拡張システム表にて特定されないシステム上で動作する場合に、「０」に設定される。
【００１１】
ＤＥＦ＿ＲＯＡＭ＿ＩＮＤ（Ｄｅｆａｕｌｔ  Ｒｏａｍｉｎｇ  Ｉｎｄｉｃａｔｉｏｎ）フィールドは、拡張システム表で特定されないシステム上で動作するときに無線通信装置が使うローミング指示値に設定される。
【００１２】
ＮＵＭ＿ＥＸＴ＿ＡＣＱ＿ＲＥＣＳフィールドの値は、拡張取得表のレコードの数を規定する。
【００１３】
ＮＵＭ＿ＥＸＴ＿ＳＹＳ＿ＲＥＣＳフィールドの値は、拡張システム表のレコードの数を規定する。
【００１４】
図２は、拡張優先ローミングリストの例示的な拡張取得表を示している。拡張取得表のレコードは、サービスタイプを取得しようとする時に無線通信装置が使うべきモード、帯域、及び周波数を提供する。拡張取得表のレコードは、望ましいスキャンの順番にしたがった優先度順（最も高い優先度が１番目）になっている。
【００１５】
拡張取得表は、ＡＣＱ＿ＩＮＤＥＸ、ＡＣＱ＿ＴＹＰＥ、種類、及び取得パラメータのフィールドを含む。
【００１６】
種類フィールドは、サービスをスキャニングするための複数のサービスタイプを含む。例えば、例示的な種類フィールドは、２つのセルラＣＤＭＡ標準チャネルと１つのＧＳＭ用の一般的な取得レコードを含む。他のサービスタイプ、例えばパーソナル通信サービス（ＰＣＳ）、セルラＣＤＭＡカスタムチャネル、セルラアナログ、及び高データレート（ＨＤＲ）ＣＤＭＡも含むことができる。複数のサービスタイプは、望ましいスキャニングの優先度にしたがって順序付けされる。ＧＳＭモードとＣＤＭＡモードが装備された無線通信装置のために、複数のサービスタイプには、種類フィールド内の少なくとも１つのＣＤＭＡサービスタイプと少なくとも１つのＧＳＭサービスタイプを含むことができる。
【００１７】
取得パラメータフィールドは、セルラＣＤＭＡサービスタイプのためのシステムＡプロバイダーとシステムＢプロバイダー--標準チャネル、及びそれらに関連するプライマリ(primary)チャネル及びセカンダリ(secondary)チャネルを含むことができる。取得パラメータフィールドは、ＧＳＭサービスタイプのための帯域クラスも含むことができる。この例において、帯域クラスは９００メガヘルツと１９００メガヘルツである。他の取得パラメータも含むことができる。例えば、チャネルを用いるＰＣＳ  ＣＤＭＡは、１００、１２５、１５０、１７５、及び２００の取得パラメータを有することができる。ブロックを用いるＰＣＳ  ＣＤＭＡは、ブロックＡ、Ｂ、及びＣの取得パラメータを有することができる。セルラＣＤＭＡカスタムチャネルは、チャネル番号１の取得パラメータを有することができる。セルラアナログは、システムＡ及びシステムＢの取得パラメータを有することができる。
【００１８】
ＡＣＱ＿ＴＹＰＥフィールド（取得レコードタイプ）は、拡張取得レコードタイプに設定され、タイプ特定フィールドを識別する。例えば、アナログを示す値があり、ＰＣＳ  ＣＤＭＡを示す値、及び日本の帯域におけるＣＤＭＡを示す値がある。
【００１９】
ＡＣＱ＿ＩＮＤＥＸフィールドは、複数の取得インデックスを含む。各取得インデックスは、１つのサービスタイプに対応する。例えば、１に等しいＡＣＱ＿ＩＮＤＥＸはセルラＣＤＭＡシステムＡに対応し、３に等しいＡＣＱ＿ＩＮＤＥＸは帯域クラス９００及び１９００を有するＧＳＭサービスタイプに対応する。
【００２０】
図２の拡張取得表に対して、無線通信装置は、まずＡＣＱ＿ＩＮＤＥＸ＝１に対応するサービスタイプを取得することを試みるであろう。第１のサービスタイプを取得できない場合、無線通信装置は、次にＡＣＱ＿ＩＮＤＥＸ＝２に対応するサービスタイプを取得することを試みるであろう。このプロセスは、サービスタイプの取得が成功するまで続くであろう。
【００２１】
図３は、拡張優先ローミングリストの例示的な拡張システム表を示す。拡張システム表はレコードを含む。各レコードは、サービスプロバイダーシステムに対応する。ＣＤＭＡサービスプロバイダーシステムは、システム識別子（ＳＩＤ）とネットワーク識別子（ＮＩＤ）により識別される。ＧＳＭサービスタイプは、対応するＳＩＤ及びＮＩＤを有していない。
【００２２】
拡張システム表は、複数のサービスプロバイダーシステムを含む。サービスプロバイダーシステムは、地理的範囲で分類される。例えば、図３において、最初の２つのレコードはＳＩＤ＝０で識別されるセルラＣＤＭＡサービスプロバイダーシステムとＧＳＭサービスプロバイダーシステムを有する１つの地理的範囲である。ＧＳＭは対応する識別子を有していないので、対応するＳＩＤフィールドはＮ／Ａに等しく設定される。
【００２３】
地理的範囲は、ＧＥＯフィールドにより識別される。新たな地理的範囲は、フィールドが「１」に設定されたときに発生し、それに続くフィールドが「０」に設定された場合、その後も継続する。例えば、図３に示す拡張システム表の最初の２つのレコードは１番目の範囲であり、第３、４、及び５のレコードは２番目の地理的範囲である。
【００２４】
分類されたサービスプロバイダーシステムは、対応する地理的範囲内のサービスプロバイダーシステムの優先権と、対応する地理的範囲内の各サービスプロバイダーシステムのサービスタイプの優先権とにしたがって順序付けされる。図３において、同じ地理的範囲内で他のサービスプロバイダーシステムより前に現れるサービスプロバイダーシステムは、他のサービスプロバイダーシステムよりも高い優先度を有している。この例では、ＳＩＤ＝０で識別されるセルラＣＤＭＡサービスプロバイダーシステムは、１番目の地理的範囲内のＧＳＭサービスプロバイダーシステムよりも優先される。
【００２５】
拡張システム表は、ＡＣＱ＿ＩＮＤＥＸフィールドを含む。このフィールドは、サービスプロバイダーシステムのサービスタイプを識別する。例えば、ＳＩＯ＝０で識別されるサービスプロバイダーシステムは、ＡＣＱ＿ＩＮＤＥＸ＝１で示されるようなシステムＡのセルラＣＤＭＡ標準チャネルサービスタイプであり、１番目の地理的範囲のＧＳＭサービスタイプは、ＡＣＱ＿ＩＮＤＥＸ＝３で示されるようなＧＳＭサービスタイプである。当業者は、各サービスプロバイダーシステムが特定の地理的範囲内のサービスプロバイダーシステムのサービスタイプを示す１つ以上のサービスタイプを割り当てられ得ることを理解するであろう。例えば、ＳＩＤ＝０で識別されるサービスプロバイダーシステムは、１番目の地理的範囲内の他のサービスタイプ、例えばＡＣＱ＿ＩＮＤＥＸ＝４（図示せず）で識別されるセルラアナログサービスを提供することもできる。
【００２６】
ＡＣＱ＿ＩＮＤＥＸは、取得のために用いられる拡張取得表のレコードを示すのに用いることができる。
【００２７】
図４は、サービスプロバイダーシステムを選択する方法を示す。
【００２８】
４０２で、無線通信装置はＣＤＭＡサービスタイプによって、基地局から、拡張取得表及び拡張システムテーブルを含む拡張優先ローミングリストを受信することができる。拡張ローミングリストは、無線通信装置のメモリ内に記憶することができる。４０４で、無線通信装置は、拡張取得表に含まれる望ましいスキャニングの優先度に従ってサービスタイプを探し、サービスタイプのうち取得する１つを取得することができる。
【００２９】
４０６で、無線通信装置は、ＧＳＭサービスタイプとＣＤＭＡサービスタイプのどちらを取得するかを決定することができる。ＧＳＭサービスタイプが取得される場合、４０８で、無線通信装置は、無線通信装置に関連する加入者識別モジュール（ＳＩＭ）カードに記憶されている優先ＰＬＭＮリストに従って、サービスプロバイダーシステムを選択することができる。ＧＳＭの優先ＰＬＭＮリストを使用する技術は、技術的によく知られている。
【００３０】
ＧＳＭサービスタイプが取得される場合、無線通信装置は拡張優先ローミングリストに従って、サービスプロバイダーシステムを選択することができる。
【００３１】
図５は、拡張優先ローミングリストに従ってサービスプロバイダーシステムを選択する方法を示す。
【００３２】
５０２で、ＣＤＭＡサービスタイプが取得された場合、無線通信装置は取得したＣＤＭＡサービスタイプから取得したサービスタイプのサービスプロバイダーシステムを識別するＳＩＤを受信することができる。一般的に、ＳＩＤは無線通信装置が居る地理的範囲を受け持つ基地局により送信される。例えば、受信されたＳＩＤは「０」に等しいことがある。
【００３３】
５０４で、無線通信装置は、取得したサービスタイプに対応する拡張取得表中の取得インデックスを求めることができる。例えば、無線通信装置が図２中のサービスタイプを探す場合、無線通信装置は、１番目にリストされたサービスタイプであるセルラＣＤＭＡ標準チャネル、システムＡ、プライマリ及びセカンダリを取得することができる。対応するＡＣＱ＿ＩＮＤＥＸは「１」である。
【００３４】
５０６で、無線通信装置は受信したＳＩＤに従って、拡張システム表中の地理的範囲を求めることができる。例えば、ＳＩＤ＝０の場合、対応する地理的範囲は、ＳＩＤ＝０を含む１番目の地理的範囲になるであろう。
【００３５】
５０８で、無線通信装置は、求められた地理的範囲の優先サービスプロバイダーシステムを選択することができる。上記のＳＩＤ＝０の例の場合、優先サービスプロバイダーは地理的範囲内で１番目にリストされた、すなわちＳＩＤ＝０のサービスプロバイダーである。拡張システム表からの求められたＳＩＤは、取得及び登録のためのサービスタイプを選択するために、拡張取得表で用いることができる。上述した例において、ＳＩＤ＝０はＡＣＱ＿ＩＮＤＥＸ＝１に対応し、これはセルラＣＤＭＡ標準チャネル、システムＡ、プライマリ及びセカンダリに対応する。
【００３６】
他の例において、４０４で、ＳＩＤ＝２２２２が取得され得る。ＳＩＤ＝２２２２は、図３に示す拡張システム表の２番目の地理的範囲内にある。２番目の地理的範囲内の優先サービスプロバイダーシステムは、ＳＩＤ＝１である。ＳＩＤ＝１はＡＣＱ＿ＩＮＤＥＸ＝２に対応し、これはセルラＣＤＭＡ標準チャネル、システムＢ、プライマリ及びセカンダリに対応する。
【００３７】
拡張システム表は、公衆回線移動通信網（ＰＬＭＮ）包含指標（inclusion indicator）ＰＬＭＮ＿ＩＮＣＬも含むことができる。各ＧＳＭサービスタイプサービスプロバイダーシステムには、対応する地理的範囲内にあるＧＳＭサービスタイプの選択順番に対する優先権、または対応する地理的範囲内にあるＧＳＭサービスタイプの選択順番に対する非優先権を示す対応するＰＬＭＮ包含指標を割り当てることができる。
【００３８】
例えば、ＰＬＭＮ＿ＩＮＣＬが、対応する地理的範囲内にあるＧＳＭサービスタイプの選択順番に対する優先権、例えばＰＬＭＮ＿ＩＮＣＬ＝１を示す場合、対応する地理的範囲内にあるＧＳＭサービスタイプは、対応する地理的範囲内にあるＧＳＭサービスタイプの優先権に従って順序付けすることができる。例えば、ＧＳＭサービスタイプ帯域クラス１９００は、ＧＳＭサービスタイプ帯域クラス９００よりも優先されるであろう。この場合、拡張システム表のＰＬＭＮフィールドは、優先権を示すことができる。この優先権は、登録用のサービスタイプを取得するために無線通信装置で用いることができる。すなわち、ＰＬＭＮフィールド内の順位付けは優先ＰＬＭＮリストと照合することができ、最後の選択決定は優先ＰＬＭＮリストから選ぶことができる。
【００３９】
ＰＬＭＮ＿ＩＮＣＬがＧＳＭサービスタイプの選択順番の非優先権、例えばＰＬＭＮ＿ＩＮＣＬ＝０を示す場合、ＰＬＭＮフィールドは特定される必要はない。５０８で、無線通信装置が、ＧＳＭサービスタイプが特定の地理的範囲内のより優先されるサービスタイプであり、対応するＰＬＭＮ＿ＩＮＣＬ＝０であることを検出した場合、４０８で、無線通信装置は優先ＰＬＭＮリストに従ってＧＳＭサービスプロバイダーシステムを選択することができる。
【００４０】
図６は、無線通信システムにおける２つの無線通信装置６０２及び６０４のブロック図を示す。通信装置は、例えば無線電話及び基地局となり得る。従来のハードウェア及びソフトウェア技術を無線通信装置により使用することができる。無線通信装置６０２及び６０４は、どちらもそれぞれ論理・処理ユニット６０６及び６０８と、それぞれ無線周波数ユニット６１０及び６１２を備えることができる。例えば、当業者は、無線周波数ユニットが通信装置間で信号を送受信でき、論理・処理ユニットが論理演算及び信号の処理を行うことができることを理解するであろう。
【００４１】
５０８で最初の優先サービスプロバイダーシステムが選択された後、例えばＳＩＤ＝０で、無線通信装置は優先サービスプロバイダーシステムの取得及び登録を試みることができる。
【００４２】
優先サービスプロバイダーシステムの取得は、「ダークスポット」すなわち優先サービスプロバイダーシステムによるサービスエリアではないために、地理的範囲の領域で失敗することもある。
【００４３】
例えば、ＳＩＤ＝０を有するＣＤＭＡタイプのサービスプロバイダーシステムは、図３を参照して述べた１番目の範囲のサブセットをカバーすることができるのに対して、ＧＳＭタイプのサービスプロバイダーシステムは、１番目の範囲の全てをカバーすることができる。したがって、無線通信装置がＣＤＭＡプロバイダーによりカバーされていない１番目の範囲の領域にある場合、取得の試みは失敗するであろう。さらに、短い間隔の後、無線通信装置は再びＣＤＭＡプロバイダーの取得を試みるであろう。このプロセスは継続し、無線通信装置のバッテリーにおける消耗を引き起こすであろう。
【００４４】
測位情報を用いてサービスプロバイダーシステムの選択処理を向上させることが可能である。上述した例において、無線通信装置がＣＤＭＡタイプのサービスプロバイダーシステムを取得できない場合、無線通信装置はそれ自身の位置を、ＧＰＳ受信機を含む全地球測位システム（ＧＰＳ）を用いて検出することができる。位置を決定するための他の技術、例えば基地局識別情報を用いることができる。無線通信装置が他の基地局を取得した場合、無線通信装置はその位置を移動したのであろう。
【００４５】
無線通信装置が所定の位置変更閾値を超えて移動しない場合、無線通信装置はそのＣＤＭＡタイプのサービスプロバイダーシステムの取得の試みを繰り返さないよう決定することができる。試みの繰り返しは、無線通信装置が同じ位置にあるので、おそらく失敗するであろう。
【００４６】
したがって、バッテリーの寿命を伸ばすことができる。さらに、一般的な再選択機能が、いくらかの継続時間の間に現時のチャネルから離れて同調することを無線通信装置に要求することで、呼び出し失敗率を改善できる。
【００４７】
この技術は拡張ＰＲＬを参照して述べたが、サービスプロバイダーシステムを時宜を得た方法で取得できない場合には、この技術を他のサービスプロバイダーの選択処理に適用できることは理解されるであろう。
【００４８】
図７は、取得及び登録のための新たなサービスプロバイダーシステムを選択する方法を示す。
【００４９】
７０２で、無線通信装置は、地理的範囲を受け持つ複数のサービスプロバイダーシステムの中の所定のサービスプロバイダーシステムを取得することを試みる。例えば、最初に無線通信装置は、ＰＲＬ、拡張ＰＲＬ、または地理的範囲のサービスプロバイダーに対する他の順位付け手法で特定されるような第１の範囲内のＳＩＤ＝０を有する最も優先されるプロバイダーを取得することを試みることができる。
【００５０】
７０４で、無線通信装置は、所定のサービスプロバイダーシステムの取得が成功かどうかを判定することができる。所定のプロバイダーシステムの取得が成功である場合、７０６で、無線通信装置は所定のサービスプロバイダーシステムに登録を行うことができる。
【００５１】
所定のプロバイダーシステムの取得が成功でない場合、７０８で、無線通信装置は所定のサービスプロバイダーシステムの取得の試みの回数が、所定の試み回数閾値レベルＴＨ−Ｎを超えるかを判定することができる。ＴＨ−Ｎの値は、取得することができないサービスプロバイダーの不必要な試みの繰り返しを避けることで、バッテリーの寿命を伸ばすように設定できる。
【００５２】
所定のサービスプロバイダーシステムの取得の試みの回数がＴＨ−Ｎを超えない場合、７０２で、無線通信装置は、所定のサービスプロバイダーシステムの取得を再び試みるよう進むことができる。
【００５３】
所定のサービスプロバイダーシステムの取得が成功せず、随意に試みの回数がＴＨ−Ｎを超える場合、７１０で、無線通信装置は、無線通信装置がその地理的位置を所定の位置変更閾値ＴＨ−Ｐよりも変更したかを判定するよう進むことができる。ＴＨ−Ｐは、特に、ある範囲内のサービスプロバイダーによるサービスエリアの不足、すなわち地理的範囲の中のサービスプロバイダーによるサービスエリアの重なっていない領域を補うための値に設定することができる。ＴＨ−Ｐの値は、無線通信装置の不揮発性メモリ内に設定することができる。ＴＨ−Ｐはローミングリストに含むこともできる。１つ以上のＴＨ−Ｐをある範囲に関連付けることができる。
【００５４】
無線通信装置がその地理的範囲をＴＨ−Ｐよりも変更しなかった場合、７１２で、無線通信装置は複数のサービスプロバイダーシステムの中の他のプロバイダーシステムを所定のプロバイダーシステムとして選択することができる。他のプロバイダーシステムは、サービスプロバイダー順位付け手法から選択することができる。例えば、複数回の試みの後、第１の範囲のＣＤＭＡタイプのサービスプロバイダーシステムが取得されず、無線通信装置の位置が変更されていない場合、無線通信装置は第１の範囲内のＧＳＭタイプのサービスプロバイダーシステムを選択することができ、次にＧＳＭタイプのサービスプロバイダーシステムを取得することを試みることができる。
【００５５】
無線通信装置がその地理的位置をＴＨ−Ｐよりも変更した場合、７１４で、無線通信装置は所定のプロバイダーシステムの取得の試みの回数を０のような所定値にリセットすることができ、７１４で、所定のプロバイダーシステムの取得の試みを繰り返すことに進むことができる。無線通信装置は、その位置をＴＨ−Ｐよりも変更したので、無線通信装置は所定のサービスプロバイダーシステムでカバーされる領域に移動したであろう。
【００５６】
上述したサービスプロバイダーシステムを選択するための方法、装置、及びシステムは、ＣＤＭＡとＧＳＭの両方のサービスタイプを配備し、ユーザーにマルチモード電話でＣＤＭＡまたはＧＳＭを使用させることを望むサービスプロバイダーにより、有利に利用することができる。
【００５７】
開示した実施形態の上記の説明は、任意の当業者が本発明を行いまたは使用できるように提供されている。これらの実施形態の様々な変更は当業者にとって容易に明らかとなり、明細書中で規定された一般的な原理は、本発明の精神と範囲を逸脱することなく他の実施形態に適用することができる。したがって本発明は、明細書中で示された実施形態に限定されることは意図されておらず、明細書中で開示された原理と新規な特徴に沿う最も広い範囲に適合することになる。
【図面の簡単な説明】
【００５８】
【図１】例示的な拡張優先ローミングリストの基本構造を示す。
【図２】拡張優先ローミングリストの例示的な拡張取得表を示す。
【図３】拡張優先ローミングリストの例示的な拡張システム表を示す。
【図４】サービスプロバイダーシステムを選択する方法を示す。
【図５】拡張優先ローミングリストに従ってサービスプロバイダーシステムを選択する方法を示す。
【図６】無線通信システムにおける２つの無線通信装置のブロック図を示す。
【図７】取得及び登録のための新たなサービスプロバイダーシステムを選択する方法を示す。
【図１】
0004463691.tif 000002
【図２】
0004463691.tif 000003
【図３】
0004463691.tif 000004
【図４】
0004463691.tif 000005
【図５】
0004463691.tif 000006
【図６】
0004463691.tif 000007
【図７】
0004463691.tif 000008